(57)【特許請求の範囲】
【請求項１】
河川水に含まれる土砂により、水力発電所の水車部品に発生する摩耗量を診断する水力
発電所における水車部品の摩耗診断方法において、
前記水車部品の解析格子を作成する手順と、
前記手順で得られた前記水車部品の解析格子と、前記水力発電所における土砂の濃度／粒径、流速を含む河川水データとを取り込み、固液二相流解析を行う乱流解析プログラムにより土砂流が前記水車部品に衝突する流れを演算する手順と、
前記手順で得られた土砂流が前記水車部品に衝突する流れから、摩耗評価プログラムにより、土砂の衝突角度、衝突速度、固相濃度の値を算出し、前記水車部品における単位時間当たりの摩耗量（摩耗速度）を演算する手順とを実行する
ことを特徴とする水力発電所における水車部品の摩耗診断方法。
【請求項２】
請求項１記載の水力発電所における水車部品の摩耗診断方法において、
前記水車部品における単位時間当たりの摩耗量（摩耗速度）と、前記水力発電所の運転時間とに基づいて、前記水車部品の摩耗量を演算する手順とを更に備えた
ことを特徴とする水力発電所における水車部品の摩耗診断方法。
【請求項３】
請求項２記載の水力発電所における水車部品の摩耗診断方法において、
前記水車部品の摩耗量と、前記水車部品の解析格子の情報とに基づいて、前記水力発電所の運転時間経過後の前記水車部品の摩耗形状を演算する手順を更に備えた
ことを特徴とする水力発電所における水車部品の摩耗診断方法。
【請求項４】
請求項３記載の水力発電所における水車部品の摩耗診断方法において、
前記水力発電所の運転時間経過後の前記水車部品の摩耗形状の情報と、その時点より後の、前記水力発電所における土砂の濃度／粒径、流速を含む河川水データの情報に基づき、前記水車部品における単位時間当たりの摩耗量（摩耗速度）を繰り返し算出し、前記水力発電所の運転時間情報から摩耗量を繰り返し算出し、前記摩耗速度及び前記摩耗量によって、前記水力発電所の運転時間経過時点での前記水車部品の摩耗形状を順次演算する手順を更に備えた
ことを特徴とする水力発電所における水車部品の摩耗診断方法。
【請求項５】
請求項４記載の水力発電所における水車部品の摩耗診断方法において、
前記水力発電所の運転時間と前記水車部品の摩耗量との関数関係に基づいて、前記水力発電所の運転時間経過時点以降の前記水車部品の摩耗量特性を演算する手順を更に備えた
ことを特徴とする水力発電所における水車部品の摩耗診断方法。
【請求項６】
河川水に含まれる土砂により、水力発電所の水車部品に発生する摩耗量を診断する水力発電所における水車部品の摩耗診断システムにおいて、
前記水力発電所における土砂の濃度／粒径、流速を含む河川水データを管理蓄積するサーバと、
該サーバと通信手段を介して接続され、
前記水車部品の解析格子を作成する手段と、
前記手段で得られた前記水車部品の解析格子と、前記水力発電所における土砂の濃度／粒径、流速を含む河川水データとを取り込み、固液二相流解析を行う乱流解析プログラムにより土砂流が前記水車部品に衝突する流れを演算する手段と、
前記手段で得られた土砂流が前記水車部品に衝突する流れから、摩耗評価プログラムにより、土砂の衝突角度、衝突速度、固相濃度の値を算出し、前記水車部品における単位時間当たりの摩耗量（摩耗速度）を演算する手段と、
前記水車部品における単位時間当たりの摩耗量（摩耗速度）と、前記水力発電所の運転時間とに基づいて、前記水車部品の摩耗量を演算する手段と、
前記水車部品の摩耗量と、前記水車部品の解析格子の情報とに基づいて、前記水力発電所の運転時間経過後の前記水車部品の摩耗形状を演算する手段と、
前記水力発電所の運転時間と前記水車部品の摩耗量との関数関係に基づいて、前記水力発電所の運転時間経過時点以降の前記水車部品の摩耗量特性を演算する手段とを有する演算機と、
を備えたことを特徴とする水力発電所における水車部品の摩耗診断システム。
【発明の詳細な説明】
【技術分野】
【０００１】
本発明は、水力発電所の水車部品に対する土砂摩耗診断方法及びその土砂摩耗診断システムに関するものである。
【背景技術】
【０００２】
一般に、水力発電所における水車部品等は、運転時の河川水中に含まれる土砂により摩耗する。このため、土砂濃度の高い状態で、水力発電所の運転が続く場合には、水車部品等の点検周期が短くなることがある。つまり、水力発電所の運転を予定より早く停止して水車部品等の点検に入ることがある。また、水力発電所の運転中であっても、豪雨等により河川水中の土砂濃度が高くなった場合、水車部品等の土砂摩耗を抑制するために、一時的に水車の運転を停止することがある。
【０００３】
従来、水車部品等の土砂摩耗の抑制に関する技術として、発電所入口に河川水中の土砂を測定する装置を配置し、発電の停止及び再開を判断する運転管理方法（例えば特許文献１参照。）や、気象情報から土砂流入量を予測し運転管理する方法などが開示されている（例えば特許文献２参照。）。
【０００４】
【特許文献１】特開２００３−２１３６５９号公報
【特許文献２】特開２００５−３３６９３７号公報
【発明の開示】
【発明が解決しようとする課題】
【０００５】
しかし、これらの技術は、土砂による水車部品等の摩耗を低減するものであって、水車部品等の土砂摩耗を診断するものではない。従来、土砂摩耗の診断は、水車部品等の摩耗量を直接計測するものであって、その摩耗量が一定の閾値に至ったか否かで補修の要否を判断していた。土砂摩耗により水車部品等の形状が変化すると、水車の運転効率が低下する。このため、水車部品等の摩耗量が一定の閾値に至った場合には、当該摩耗箇所を例えば溶接などで補修するものであった。
【０００６】
このような水車部品等の補修期間を延伸するために、例えば、水車部品等の耐摩耗性の向上を目的として様々な表面コーティング技術等が検討されてきたが、いずれも点検時に行う対処手段であった。このため、この点検時に水車部品等の摩耗箇所が溶接補修されたとしても、次回点検時における当該摩耗箇所の推定摩耗量や、水車部品等の余寿命等について、予測することはできなかった。
【０００７】
本発明は上述の事項に基づいてなされたもので、その目的は、水力発電所の水車部品等の土砂による摩耗量と摩耗形状を予測することができる摩耗診断方法及び摩耗診断システムを提供することにある。
【課題を解決するための手段】
【０００８】
（１）上記目的を達成するために、本発明は、河川水に含まれる土砂により、水力発電所の水車部品に発生する摩耗量を診断する水力発電所における水車部品の摩耗診断方法において、前記水車部品の解析格子を作成する手順と、前記手順で得られた前記水車部品の解析格子と、前記水力発電所における土砂の濃度／粒径、流速を含む河川水データとを取り込み、固液二相流解析を行う乱流解析プログラムにより土砂流が前記水車部品に衝突する流れを演算する手順と、前記手順で得られた土砂流が前記水車部品に衝突する流れから、摩耗評価プログラムにより、土砂の衝突角度、衝突速度、固相濃度の値を算出し、前記水車部品における単位時間当たりの摩耗量（摩耗速度）を演算する手順とを実行するものとする。
【０００９】
（２）上記（１）において、好ましくは、前記水車部品における単位時間当たりの摩耗量（摩耗速度）と、前記水力発電所の運転時間とに基づいて、前記水車部品の摩耗量を演算する手順とを更に備えたものとする。
【００１０】
（３）上記（２）において、好ましくは、前記水車部品の摩耗量と、前記水車部品の解析格子の情報とに基づいて、前記水力発電所の運転時間経過後の前記水車部品の摩耗形状を演算する手順を更に備えたものとする。
【００１１】
（４）上記（３）において、好ましくは、前記水力発電所の運転時間経過後の前記水車部品の摩耗形状の情報と、その時点より後の、前記水力発電所における土砂の濃度／粒径、流速を含む河川水データの情報に基づき、前記水車部品における単位時間当たりの摩耗量（摩耗速度）を繰り返し算出し、前記水力発電所の運転時間情報から摩耗量を繰り返し算出し、前記摩耗速度及び前記摩耗量によって、前記水力発電所の運転時間経過時点での前記水車部品の摩耗形状を順次演算する手順を更に備えたものとする。
【００１２】
（５）上記（４）において、好ましくは、前記水力発電所の運転時間と前記水車部品の摩耗量との関数関係に基づいて、前記水力発電所の運転時間経過時点以降の前記水車部品の摩耗量特性を演算する手順を更に備えたものとする。
【００１３】
（６）上記目的を達成するために、本発明は、河川水に含まれる土砂により、水力発電所の水車部品に発生する摩耗量を診断する水力発電所における水車部品の摩耗診断システムにおいて、前記水力発電所における土砂の濃度／粒径、流速を含む河川水データを管理蓄積するサーバと、該サーバと通信手段を介して接続され、前記水車部品の解析格子を作成する手段と、前記手段で得られた前記水車部品の解析格子と、前記水力発電所における土砂の濃度／粒径、流速を含む河川水データとを取り込み、固液二相流解析を行う乱流解析プログラムにより土砂流が前記水車部品に衝突する流れを演算する手段と、前記手段で得られた土砂流が前記水車部品に衝突する流れから、摩耗評価プログラムにより、土砂の衝突角度、衝突速度、固相濃度の値を算出し、前記水車部品における単位時間当たりの摩耗量（摩耗速度）を演算する手段と、前記水車部品における単位時間当たりの摩耗量（摩耗速度）と、前記水力発電所の運転時間とに基づいて、前記水車部品の摩耗量を演算する手段と、前記水車部品の摩耗量と、前記水車部品の解析格子の情報とに基づいて、前記水力発電所の運転時間経過後の前記水車部品の摩耗形状を演算する手段と、前記水力発電所の運転時間と前記水車部品の摩耗量との関数関係に基づいて、前記水力発電所の運転時間経過時点以降の前記水車部品の摩耗量特性を演算する手段とを有する演算機と、を備えたものとする。
【発明の効果】
【００１４】
本発明によれば、水力発電所の水車部品の土砂による摩耗量と摩耗した形状を予測できる。さらに、運転時間と摩耗量の関係式を算出することで、今後の摩耗量を予測でき、水車部品の土砂摩耗に対する余寿命診断を行うことができる。その結果、修理・交換が必要となる摩耗限界量までの運転時間の予測が可能となる。さらに、河川水の土砂濃度と粒子径と摩耗速度の関係から、河川水の土砂濃度と粒子径の情報を用いて、修理・交換が必要となる摩耗限界量に達する運転時間までの運転計画を立てることが可能となる。
【発明を実施するための最良の形態】
【００１５】
以下に、本発明の水力発電所における水車部品の摩耗診断方法及び摩耗診断システムの実施の形態を図面を用いて説明する。  
図１は、本発明の水力発電所における水車部品の摩耗診断システムの一実施の形態を示す概念図である。この図１において、河川水を堰き止めたダム９には、水力発電所８に河川水を導入するための取水口７が設けられている。取水口７には、水力発電所８に流入する河川水の土砂濃度、粒子径を測定する河川水分析装置１が少なくとも１箇所以上設置されている。
【００１６】
河川水分析装置１で測定した土砂情報は、通信手段２を介して河川水の土砂濃度、粒子径を管理及び蓄積するサーバ３に送信される。ここで、河川水分析装置１は、少なくとも河川の土砂濃度、粒子径を測定または予測する機能を有するものであれば良く、直接測定する方式あるいは気象情報から河川に流れ込む土砂の粒子径と濃度を予測する方式のいずれであっても構わない。また、河川水分析装置１で測定される河川の土砂濃度、粒子径の情報は、常時観測されたデータであっても、一定時間間隔の観測データであっても良い。
【００１７】
また、水力発電所８の水車部品に流入する河川水の時間ごとの流量、水車の落差、水車の回転速度、及び水車の運転時間等は、水車の運転状況の情報として、水力発電所８から通信手段６を介してサーバ３に送信される。なお、河川水分析装置１及び水力発電所８からサーバ３への通信手段２，６は、それぞれ有線方式であっても無線方式であっても良い。
【００１８】
サーバ３は上述した土砂情報や水車の運転状況の情報を受信し、内部のデータベースに逐次格納する。また、サーバ３は通信手段４を介して演算機５と接続されている。このため、演算機５からアクセスがあると、上述したデータベースから必要な情報を読み出して、演算機５へ送信する。
【００１９】
演算機５は、少なくともキーボードやマウスで代表される入力装置５１、サーバ３から通信手段４を介して送信される河川の土砂濃度、粒子径および水車の運転状況の情報を受信し、各種演算を行う演算装置５０、算出した水車部品の摩耗形状等を表示するための表示装置５２及びそれらの結果やプログラムを格納するための記憶装置５３を備えるものである。
【００２０】
図２は、本発明の水力発電所における水車部品の摩耗診断方法及び摩耗診断システムの一実施の形態を示す機能ブロック図である。図２において、図１に示す符号と同符号のものは同一部分である。
【００２１】
演算機５の演算装置５０は、摩耗量を評価し余寿命診断したい水車部品の形状をＣＡＤソフトにより定義する形状定義部５００と、該水車部品周りにおける水の流れを解析するために必要な領域の解析格子を格子作成プログラムにより作成する演算部５０１と、サーバ３に収集された河川水の土砂濃度、粒子径の情報、および流量等の情報を解析条件として、固液二相流解析を実施して、土砂粒子が水車部品に衝突する流れを乱流解析プログラムにより算出する演算部５０２と、固液二相流解析から算出された土砂粒子が水車部品に衝突する流れから、衝突角度、衝突流速、単位時間あたり衝突数を摩耗評価プログラムにより算出し、単位時間あたりの摩耗量を計算する演算部５０３と、単位時間あたりの摩耗量と、サーバ３に収集された水車の運転時間の情報を乗じることで、運転時間経過後の摩耗量を摩耗量計算プログラムにより算出する演算部５０４と、はじめに定義した摩耗量を評価し余寿命診断したい水車部品の形状から、運転時間経過後の摩耗量を表面垂直方向に差し引くことで、運転時間経過後の摩耗した水車部品の形状をＣＡＤソフトにより算出する形状定義部５０５と、サーバ３に収集された水車の運転時間の情報と摩耗量の関係を摩耗量計算プログラムにより関数化する演算部５０６とにより構成されている。
【００２２】
また、サーバ３のデータベースには、上述したように、河川水の土砂濃度／粒子径の情報、水力発電所８の水車部品に流入する河川水の流量の情報、水車の落差、水車の回転速度、及び水車の運転時間等の情報が水力発電所データとして格納されている。
【００２３】
図３は、本発明の水力発電所における水車部品の摩耗診断方法及び摩耗診断システムの一実施の形態で用いる水車部品の形状と解析格子と算出された土砂の流れとを示す説明図である。図３（ａ）は、水車部品８０の初期形状と解析格子と土砂の流れを示し、図３（ｂ）は、水車部品８０の摩耗による変形形状と解析格子と土砂の流れを示している。図３において、水車部品８０は、例えば縦軸のフランシス型水車に設けられたガイドベーンを構成する１枚の羽根であって、この羽根を水平断面で切断して上方視した状態が示されている。また、水車部品８０のまわりの流水部（水や土砂が流れる領域）に流れを解析するための格子が示され、矢印１０は、算出された土砂の流れを示している。
【００２４】
図４は、本発明の水力発電所における水車部品の摩耗診断方法及び摩耗診断システムの一実施の形態で用いる水車部品の壁面と衝突する土砂の流れを示す説明図である。図４において、土砂の流れ１０は、水車部品８０の壁面８１に衝突角度β、衝突流速Ｖｐで衝突する様子を示している。
【００２５】
次に、上述した本発明の水力発電所における水車部品の摩耗診断システムによる摩耗診断方法の一実施の形態の動作を図１乃至図４を用いて説明する。  
まず、図２に示すように、評価部位の形状定義工程（ステップ１）が、演算装置５０内のＣＡＤソフトを備えた形状定義部５００で行われる。具体的には、初期の水車部品８０の羽根面の形状、対象である羽根の周りの壁面形状、解析上必要となる境界面形状（入口境界、出口境界、周囲境界など）を例えばＣＡＤソフトを使用して形状データを生成し、そのデータを記憶装置５３に格納する。図３（ａ）に示す初期の水車部品８０の羽根面の形状等から形状データが生成される。
【００２６】
次に、解析格子作成工程（ステップ２）が、演算装置５０内の格子作成プログラムを備えた演算部５０１で行われる。具体的には、上述の記憶装置５３に格納された形状データを読み出して、水車部品８０の羽根面の初期形状データから流水部（水や土砂が流れる領域）に解析格子を作成する。さらに水車部品８０の羽根の壁面付近にあっては、精度良く解析するために、細かい格子を生成する。ここで、水や土砂が流れる領域とは、水車部品８０の羽根面を含み、流れこむ土砂を含む河川水が正しく、水車部品８０の羽根面を通過するために必要または十分な解析領域をいう。例えば、水車部品８０の羽根面を通過する入口の代表直径をＤ1、出口の代表直径をＤ２とすると、部品の入口側にＤ１の５倍、出口側にＤ２の５倍の長さの領域を加えた解析領域である。生成された解析格子のデータは、記憶装置５３に格納される。図３（ａ）に示す初期の水車部品８０の羽根の壁面付近の解析格子は、他の部分の解析格子より細かく生成されている。
【００２７】
次に、固液二相流解析実施工程（ステップ３）が、演算装置５０内の乱流解析プログラムを備えた演算部５０２で行われる。具体的には、水力発電所データである河川水の土砂濃度／粒子径の情報、河川水の流量の情報、水車の落差や回転速度などの情報をサーバ３から通信手段４により取り込み、入口境界条件や初期条件に変換し、土砂粒子（固相）が初期の水車部品８０の羽根の壁面へ衝突する流れ（固相の流れ）を算出するものである。算出されたデータは、記憶装置５３に格納される。
【００２８】
次に、土砂摩耗速度工程（ステップ４）が、演算装置５０内の摩耗評価プログラムを備えた演算部５０３で行われる。具体的には、まず、ステップ３で算出された土砂粒子が初期の水車部品８０の羽根の壁面へ衝突する流れのデータを記憶装置５３から読み出し、衝突角度、衝突流速、固相濃度を算出する。図４において、土砂の流れを示す矢印１０は、その長さを衝突流速Ｖｐとして表している。また、衝突流速Ｖｐは、解析格子の壁面第一層にある固相流速（土砂の流速）を用いている。衝突角度βは、直接算出できないので、解析格子の壁面第一層の固相流れ方向のベクトルと壁面の法線方向のベクトルとにより、角度αを算出し、９０°−α＝βを用いて算出している。さらに、固相濃度Ｃｐは、壁面第一層の解析格子における固相の体積分率を算出して用いている。次に、算出したこれらの値から、単位時間あたりの摩耗量（摩耗速度）を算出する。具体的には、以下の（数１）〜（数３）に示した演算式で計算する。
【００２９】
【数１】
0005156481.tif 000002
【００３０】
【数２】
0005156481.tif 000003
【００３１】
【数３】
0005156481.tif 000004
【００３２】
上記（数１）において、Ｅｒは単位土砂粒子濃度あたりの摩耗速度、すなわち、ある土砂粒子数における単位時間あたりの摩耗速度である摩耗率を表す。Ａは水車部品８０の材料による係数、Ｖｐは土砂粒子の流速（上記衝突流速）、ｆ（β）は土砂粒子の水車部品８０の壁面への衝突角度βに関する衝突角度係数を表す。上記（数２）は、水車部品８０の壁面が炭素鋼壁面の場合のｆ（β）を示し、衝突角度βが約３８°の時には最大値をとり、衝突角度βが０°未満（羽根面から剥離する流れ）の時にはｆ（β）＝０となる。
【００３３】
次に、上記（数３）において、上記（数１）で算出した摩耗率Ｅｒに単位時間あたりの衝突数、すなわち土砂粒子濃度（固相濃度Ｃｐ）を乗ずることで単位時間あたりの摩耗量、すなわち摩耗速度Ｅｉを算出することができる。算出された各データは、記憶装置５３に格納される。
【００３４】
次に、摩耗量計算工程（ステップ５）が、演算装置５０内の摩耗量計算プログラムを備えた演算部５０４で行われる。具体的には、まず、ステップ４で算出された単位時間あたりの摩耗量、すなわち摩耗速度Ｅｉのデータを記憶装置５３から読み出すと共に、水力発電所データである水車の運転時間の情報をサーバ３から通信手段４により取り込み、この二つのデータを乗算することで、運転時間経過後の水車部品８０の摩耗量を算出する。算出されたデータは、記憶装置５３に格納される。
【００３５】
次に、摩耗形状予測工程（ステップ６）が、演算装置５０内のＣＡＤソフトを備えた形状定義部５０５で行われる。具体的には、まず、ステップ５で算出された運転時間経過後の水車部品８０の摩耗量のデータを記憶装置５３から読み出し、水車部品８０の初期形状に対して、摩耗量を表面垂直方向に差し引いた形状を算出することで、変形後の水車部品８０の形状を定義する。図３（ｂ）に摩耗により変形した水車部品８０の羽根面が示されている。算出されたデータは、記憶装置５３に格納される。
【００３６】
さらに、上記摩耗形状予測工程（ステップ６）で算出された変形後の水車部品８０の形状を基にして、上記評価部位の形状定義工程（ステップ１）、解析格子作成工程（ステップ２）等の一連のループが繰り返される。具体的には、河川水の土砂濃度／粒子径が変化した場合、水力発電所の水車部品８０に流入する河川水の時間毎の流量が変化した場合、その他水車運転の運転状況が変化した場合等には、運転時間経過後の摩耗した水車部品８０の形状を再度定義し、解析するために必要な領域の解析格子を作成し、上述した解析及び摩耗診断を繰り返す。この繰り返しの回数が多いほど、より精度の高い水車部品８０の摩耗量及び摩耗形状が予測できる。
【００３７】
一方、運転時間と摩耗量の関係導出工程（ステップ７）が、演算装置５０内の摩耗量計算プログラムを備えた演算部５０６で行われる。具体的には、まず、上記摩耗量計算工程（ステップ５）によって、算出された水車部品８０の摩耗量とその経過運転時間をデータベースとして記憶装置５３に格納する。したがって、上述した解析及び摩耗診断の繰り返し毎に、経過運転時間と摩耗量のデータを蓄積格納することになる。次に、この蓄積格納されたデータを記憶装置５３から読み出し、水車の経過運転時間と、水車部品８０における予測した摩耗量の積算値の関係式である近似関数曲線を算出する。
【００３８】
図５は、本発明の水力発電所における水車部品の摩耗診断方法及び摩耗診断システムの一実施の形態に用いる水車部品の余寿命診断を説明する説明図である。上述した運転時間と摩耗量の関係導出工程（ステップ７）の近似関数曲線の算出を説明するものであって、図５において、横軸は水車の経過運転時間ｔを示し、縦軸は水車部品８０における予測した摩耗量の積算値Ｅを示す。各運転時間の摩耗量の積算値をプロットし、近似関数曲線Ｅ＝Ｆ（ｔ）が求められている。当該水車部品８０における摩耗限界量がＥｍａｘの場合、当該水車部品８０の摩耗限界量に到達する運転時間ｔｍは、近似関数曲線Ｅ＝Ｆ（ｔ）とＥｍａｘの交点から算出できる。
【００３９】
本発明の水力発電所における水車部品の摩耗診断方法及び摩耗診断システムの一実施の形態によれば、河川水の土砂濃度と粒子径、および水車の運転条件を基に、摩耗量を実際に直接計測することなく、診断したい部品の摩耗量を予測することが可能である。また、予測により得られた摩耗した部品の形状を基に、一連の解析を繰り返すことにより正確な摩耗量が予測できる。
【００４０】
さらに、運転時間と摩耗量の関係式を算出することで、今後の摩耗量を予測でき、水車部品の土砂摩耗に対する余寿命診断を行うことができる。このことから、修理・交換が必要となる摩耗限界量までの運転時間の予測が可能となる。さらに、河川水の土砂濃度と粒子径と摩耗速度の関係から、河川水の土砂濃度と粒子径の情報を用いて、修理・交換が必要となる摩耗限界量に達する運転時間までの運転計画を立てることが可能となる。
【００４１】
なお、本発明においては、水車部品８０を水車に設けられたガイドベーンを構成する１枚の羽根において説明したが、これに限らない。水力発電所を構成する機器であって、流入する河川水の土砂によって摩耗が発生するものであればよい。
【図面の簡単な説明】
【００４２】
【図１】本発明の水力発電所における水車部品の摩耗診断システムの一実施の形態を示す概念図である。
【図２】本発明の水力発電所における水車部品の摩耗診断方法及び摩耗診断システムの一実施の形態を示す機能ブロック図である。
【図３】本発明の水力発電所における水車部品の摩耗診断方法及び摩耗診断システムの一実施の形態で用いる水車部品の形状と解析格子と算出された土砂の流れとを示す説明図である。
【図４】本発明の水力発電所における水車部品の摩耗診断方法及び摩耗診断システムの一実施の形態で用いる水車部品の壁面と衝突する土砂の流れを示す説明図である。
【図５】本発明の水力発電所における水車部品の摩耗診断方法及び摩耗診断システムの一実施の形態に用いる水車部品の余寿命診断を説明する説明図である。
【符号の説明】
【００４３】
１      河川水分析装置
２      通信手段
３      サーバ
４      通信手段
５      演算機
８      水力発電所
８０    水車部品
９      ダム
【図１】
0005156481.tif 000005
【図２】
0005156481.tif 000006
【図３】
0005156481.tif 000007
【図４】
0005156481.tif 000008
【図５】
0005156481.tif 000009